(57)【要約】【課題】表示部に表示すべき画像データを素早く且つ簡便に設定し得ること。【解決手段】商品情報表示装置１は、操作パネル２２を有する表示部２０、第１メモリカード４８を装着する第１カード・インターフェース４４、第２メモリカード４９を装着する第２カード・インターフェース４５とを備える。第１メモリカード４８には、商品を表す画像データを商品情報に関連付けて登録するデータベースが格納される。ＣＰＵ４０は、画像編集手段の実行により、第２メモリカード４９から画像データを読み込み、操作パネル２２に表示させてユーザーに編集させる。またＣＰＵ４０は、プリセット手段の実行により、ユーザーの外部操作に従って、画像編集手段で編集された画像データを商品情報と関連付けてデータベースに登録させ、操作パネル２２における表示画像として編集後の画像データを利用可能とさせる。【選択図】        図５
2004163994.tif 000002
【特許請求の範囲】
【請求項１】
商品販売に使用され、販売対象である商品に関する商品情報を表示する商品情報表示装置であって、
当該商品を表す画像データを前記商品情報に関連付けて登録するデータベースと、
前記データベースに登録された前記画像データを所定のフォーマットで表示する表示部と、
ユーザーの外部操作に従って画像データを前記表示部に表示させて編集させる画像編集手段と、
前記画像編集手段で編集された画像データを、ユーザーの外部操作に従って前記商品情報と関連付けて前記データベースに登録させることにより、前記表示部における表示画像として編集後の前記画像データを利用可能とするプリセット手段と、
を備えることを特徴とする商品情報表示装置。
【請求項２】
請求項１記載の商品情報表示装置であって、
前記表示部は、前記データベースに登録された前記画像データを入力ボタンとして表示するタッチパネル機能を備える、商品情報表示装置。
【請求項３】
請求項２記載の商品情報表示装置であって、
前記入力ボタンは、予め定めた複数種類の画像サイズに対応しており、
前記画像編集手段は、前記ユーザーの外部操作によって選択された前記入力ボタンの画像サイズに適合するように当該画像データの解像度を変換する機能を備える、
商品情報表示装置。
【請求項４】
請求項２記載の商品情報表示装置であって、
前記入力ボタンは、予め定めた複数種類の画像サイズに対応しており、
前記画像編集手段は、前記ユーザーの外部操作によって選択された前記入力ボタンの画像サイズに適合するように当該画像データの一部領域を切り抜く機能を備える、
商品情報表示装置。
【請求項５】
請求項１〜請求項４の何れか１項に記載の商品情報表示装置であって、前記画像編集手段は、編集した画像データを前記表示部に表示させて前記ユーザーに視認させるプレビュー機能を備える、商品情報表示装置。
【請求項６】
請求項１〜請求項５の何れか１項に記載の商品情報表示装置であって、
不揮発性メモリからなる携帯型記憶装置に対応したインターフェースを更に備え、
前記画像編集手段は、前記インターフェースを介して前記携帯型記憶装置に記録されている前記画像データを読み込み、且つ前記携帯型記憶装置に前記画像データを書き出す機能を更に備える、
商品情報表示装置。
【請求項７】
請求項１〜請求項６の何れか１項に記載の商品情報表示装置であって、
商品の重量を計測する計量部と、
前記商品情報と前記重量とに基づいて当該商品の価格を算出する商品情報処理手段と、
を更に備え、
前記商品情報処理手段は、前記データベースに登録された前記画像データを所定のフォーマットで前記表示部に表示させて、前記計量部で計測される商品の選択を促す機能を備える、
商品情報表示装置。
【発明の詳細な説明】
【０００１】
【発明の属する技術分野】
本発明は、対面販売やバルク販売などが行われる現場で使用される商品情報表示装置に関する。
【０００２】
【従来の技術】
従来から、牛肉や野菜などの商品の重量を計る秤と、予め登録した商品単価に基づいて重量に相当する価格を自動的に算出する機能と、その算出結果をラベルやレシートに印字するプリンターとを備えたプリンター付秤が使用されている。この種のプリンター付秤は、商店などの小売り店舗において、対面販売（売り手がプリンター付秤を操作し、顧客に対面して秤売りを行う販売形態）やバルク販売の用途で広く使用されている。
【０００３】
プリンター秤のユーザー（売り手または顧客）は、売場に陳列される牛肉や野菜などの商品を必要量だけ取り出して、プリンター付秤の上に載せる。次に、ユーザーは、プリンター付秤を操作して商品リストの中から商品の品名を指定する。すると、プリンター付秤は、当該商品の重量を自動的に計量し、予め設定された商品単価に基づいてその重量に相当する価格を算出し、その後、商品の商品情報（商品名、単価、重量、価格、購入日時など）をラベルに印字して発行する。ユーザーは、発行されたラベルを商品に貼付する。そして、顧客は、ラベルの貼付された商品を精算所に持参して、精算を行う。なお、プリンター秤自体として精算機能を有するものも存在する。
【０００４】
このようなプリンター付秤の従来技術としては、本出願人による特開２００１−１０１５２９号公報記載の「商品処理装置」が知られている。この商品処理装置はタッチパネル機能を有する表示部を備えている。顧客や売り手は、この表示部に表示された複数の商品画像（商品リスト）の中から、購入商品に相当する表示画像を指で触れて選択し、重量に応じた価格を算出させ、ラベルを発行させることができる。このように商品リストは商品名だけでは無く画像で一覧表示されるため、顧客や売り手は、商品を選択し易いという利点がある。
【０００５】
【特許文献１】
特開２００１−１０１５２９号公報
【０００６】
【発明が解決しようとする課題】
上記商品処理装置のようなプリンター付秤を使用するには、表示部に表示すべき画像データを、外部機器からプリンター付秤に転送させて読み込ませ、商品名や単価などの商品情報と関連付けて登録するという設定作業を行う必要がある。しかしながら、この設定作業は手間を要するため、一度登録された画像データは、実状に沿わなくなっても更新されずに使用され続けることがあった。また、登録した画像データの画質が低かったり、その画像データが商品以外の紛らわしい画像を含んでいたりした場合には、新しい画像データをプリンター付秤に読み込ませて登録しその表示内容を確認するという煩雑な作業を、所望の画像データが登録される迄、繰り返し行う必要があるという問題がある。
【０００７】
また、商品回転率が早い店舗では、登録した商品画像を短時間で更新したい場合があるが、従来のプリンター付秤では、操作の煩雑さが原因でかかる場合に十分に対応できないという問題もある。
【０００８】
以上の問題などに鑑みて本発明が解決しようとする課題は、商品画像として表示すべき画像データを素早く且つ簡便に設定し得る商品情報表示装置を提供する点にある。
【０００９】
【課題を解決するための手段】
上記課題を解決するため、請求項１に記載される発明は、商品販売に使用され、販売対象である商品に関する商品情報を表示する商品情報表示装置であって、前記商品情報と当該商品を表す画像データとを互いに関連付けて登録するデータベースと、前記データベースに登録された前記画像データを所定のフォーマットで表示する表示部と、ユーザーの外部操作に従って画像データを前記表示部に表示させて編集させる画像編集手段と、前記画像編集手段で編集された画像データを、ユーザーの外部操作に従って前記商品情報と関連付けて前記データベースに登録させることにより、前記表示部における表示画像として編集後の前記画像データを利用可能とするプリセット手段と、を備えることを特徴としている。
【００１０】
請求項２に記載される発明は、請求項１記載の商品情報表示装置であって、前記表示部は、前記データベースに登録された前記画像データを入力ボタンとして表示するタッチパネル機能を備えるものである。
【００１１】
請求項３に記載される発明は、請求項２記載の商品情報表示装置であって、前記入力ボタンは、予め定めた複数種類の画像サイズに対応しており、前記画像編集手段は、前記ユーザーの外部操作によって選択された前記入力ボタンの画像サイズに適合するように当該画像データの解像度を変換する機能を備えるものである。
【００１２】
請求項４に記載される発明は、請求項２記載の商品情報表示装置であって、前記入力ボタンは、予め定めた複数種類の画像サイズに対応しており、前記画像編集手段は、前記ユーザーの外部操作によって選択された前記入力ボタンの画像サイズに適合するように当該画像データの一部領域を切り抜く機能を備えるものである。
【００１３】
請求項５に記載される発明は、請求項１〜請求項４の何れか１項に記載の商品情報表示装置であって、前記画像編集手段は、編集した画像データを前記表示部に表示させて前記ユーザーに視認させるプレビュー機能を備えるものである。
【００１４】
請求項６に記載される発明は、請求項１〜請求項５の何れか１項に記載の商品情報表示装置であって、不揮発性メモリからなる携帯型記憶装置に対応したインターフェースを更に備え、前記画像編集手段は、前記インターフェースを介して前記携帯型記憶装置に記録されている前記画像データを読み込み、且つ前記携帯型記憶装置に前記画像データを書き出す機能を更に備えるものである。
【００１５】
そして、請求項７に記載される発明は、請求項１〜請求項６の何れか１項に記載の商品情報表示装置であって、商品の重量を計測する計量部と、前記商品情報と前記重量とに基づいて当該商品の価格を算出する商品情報処理手段と、を更に備え、前記商品情報処理手段は、前記データベースに登録された前記画像データを所定のフォーマットで前記表示部に表示させて、前記計量部で計測される商品の選択を促す機能を備えるものである。
【００１６】
【発明の実施の形態】
以下、本発明の実施形態について説明する。
【００１７】
商品情報表示装置の全体構成．
図１は、本発明の実施形態に係る商品情報表示装置１の外観を示す斜視図、図２は、この商品情報表示装置１の正面図、図３は、この商品情報表示装置１の上方から見たときの平面図、図４は、この商品情報表示装置１の左側面図、をそれぞれ表している。
【００１８】
図１〜図４に示すように、この商品情報表示装置１は、商品の重量を計測する計量部１０と、操作パネル２２を有する表示部２０と、複数のキー配列からなるキー入力部２１と、商品情報をラベルに印字して発行するラベル発行部３０とを備えている。
【００１９】
また、図５は、この商品情報表示装置１の概略構成を示すブロック図である。同図に示すように、この商品情報表示装置１は、図１〜図４に示されたキー入力部２１、表示部２０、計量部１０およびラベル発行部３０に加えて、ＣＰＵ（中央演算装置）４０、ＲＯＭ（リード・オンリー・メモリ）４１、ＲＡＭ（ランダム・アクセス・メモリ）４２、ＳＲＡＭ（スタティックＲＡＭ）５７、タイマ（計時装置）４３、第１カード・インターフェース４４、第２カード・インターフェース４５およびネットワーク・インターフェース４６を備えて構成されており、これら処理ブロック１０，２０，２１，３０，４０〜４６，５７は、内部配線４７を介して相互に電気的に接続されている。なお、ＳＲＡＭ５７は、図示しない電源から電力供給を受けてデータを保持している。
【００２０】
計量部１０は、売り手または顧客のユーザーによって上面に載置された商品の重量を計測する秤機能を有する。計測結果である商品の重量を示す信号は、内部配線４７を介してＣＰＵ４０に伝達させられる。後述するように、ＣＰＵ４０は、プログラム・モジュールを実行することで、予め設定した商品単価に基づいて、重量を計測された商品の価格を算出する処理を行うことができる。
【００２１】
表示部２０は、液晶ディスプレイと、この液晶ディスプレイの表面に貼着された圧力感知シートとを一体化したタッチパネル機能を有する操作パネル２２を備えている。ユーザーは、操作パネル２２の表面を指などで触れてその圧力を圧力感知シートに検出させることで、入力操作を行うことができる。その入力結果を示す信号は、内部配線４７を介してＣＰＵ４０に伝達させられる。
【００２２】
キー入力部２１は、「０」〜「９」などの数字や「×」，「印字」，「呼出」などの記号を示す複数のキーの配列を備えたユーザー・インターフェースである。ユーザーが何れかのキーを押して入力すると、当該キーに対応する信号が内部配線４７を介してＣＰＵ４０に伝達させられる。
【００２３】
ラベル発行部３０は、図１に概略的に示されるように商品情報表示装置１の内部に組み込まれており、ＣＰＵ４０の制御によって動作する。このラベル発行部３０は、ラベル収納部３４、搬送部３３および印字部３２を備えている。ラベル収納部３４は、複数の商品ラベルが貼付されたラベル台紙をロール状に巻回して収納している。搬送部３３は、電動モーター（図示せず）や複数の送給ローラなどで構成されており、ラベル収納部３４に収納されているラベル台紙を引き出してラベル発行口３１まで搬送する。印字部３２は、搬送部３３によりラベル発行口３１へ搬送されているラベル台紙上の商品ラベルに、ＣＰＵ４０から転送された印字内容を感熱方式などで印字する。そして、ユーザーは、搬送部３３によって装置外部へ送り出されたラベル台紙から、印字された商品ラベルを剥ぎ取って精算に使用することができる。
【００２４】
なお、本実施の形態では、商品ラベルを発行するラベル発行部３０を採用しているが、この代わりに、印字内容をレシートに印字して発行するレシート発行部を採用することが可能である。印字部３２を除くラベル発行部３０は、カセットの形態で着脱自在に装着されているため、レシート発行部のカセットと容易に交換することができる。
【００２５】
図５に示すＲＯＭ４１は、ＣＰＵ４０で実行されるプログラム・モジュール５０（図６）や初期データなどを格納している。このプログラム・モジュール５０は、後述する商品情報処理手段５１、画像編集手段５２およびプリセット手段５３を含んでいる。ＲＡＭ４２は、ＳＲＡＭ（スタティックＲＡＭ）やＤＲＡＭ（ダイナミックＲＡＭ）などで構成されており、ＣＰＵ４０の主記憶領域やその作業領域として使用される。
【００２６】
なお、本実施形態では、商品情報処理手段５１、画像編集手段５２およびプリセット手段５３は、ＣＰＵ４０で実行されるコンピュータ・プログラムであるが、この代わりにハードウェアで構成されていてもよい。
【００２７】
第１カード・インターフェース４４および第２カード・インターフェース４５は、それぞれ、不揮発性メモリからなるメモリカード（携帯型記憶装置）に対してデータの読込みと書出しを行う機能を有している。メモリカードとしては、例えば、ＰＣＭＣＩＡ準拠のカードを使用すればよい。これらカード・インターフェース４４，４５は、図４の左側面図に示すように、商品情報表示装置１の左側方の保護カバー２５の裏側に設けられている。この保護カバー２５を開いて現れるカード・インターフェース４４，４５に、それぞれ、メモリカードを着脱自在に装着することができる。なお、本実施形態では、２枚のメモリカードを装着できる構成を採用したが、３枚以上のメモリカードを装着できるようにカード・インターフェースを増設してもよい。
【００２８】
第１カード・インターフェース４４に装着される第１メモリカード４８には、図６に示すように、画像データを商品情報に関連付けて登録するデータベース（画像マスター）５４が格納されており、商品情報表示装置１の使用時には、データベース５４が参照されるため、この第１メモリカード４８は装着された状態にある。また、ＳＲＡＭ５７には、画像データ以外の、担当者情報が登録される担当者マスターや商品情報が登録される商品マスターなどを含むデータベース５８が格納されており、商品情報表示装置１の使用時に参照される。
【００２９】
ネットワーク・インターフェース４６は、インターネットなどの広域ネットワークやＬＡＮ（ローカル・エリア・ネットワーク）などのＩＰネットワークとの間でデータの送受信を行う機能を有している。このネットワーク・インターフェース４６により、ＦＴＰ（ファイル転送プロトコル）やＨＴＴＰ（ハイパーテキスト転送プロトコル）などのインターネット対応の通信プロトコルを使用して画像データを送受信したり、ＵＲＬ（Uniform Resource Locator）の指定によりネットワーク上の情報資源にアクセスしてそれを取得したりすることが可能となる。
【００３０】
以上の構成を有する商品情報表示装置１の商品販売時の動作例を、図７を参照しつつ概説する。図７は、対面販売時における操作パネル２２の表示画面の一例を示す図である。
【００３１】
図７において、符号２６Ａ〜２６Ｆは、商品を表す画像データで表現された入力ボタン（「プリセットキー」と呼ばれる。）を示している。また、図７に示す操作パネル２２中の「鈴木」，「佐藤」，「田中」を示すプリセットキーは、この商品情報表示装置１を操作する販売担当者を指定するものであり、「精肉」，「鮮魚」，「惣菜」を示すプリセットキーは、画面に表示する商品の種類（商品群）を指定するものである。また、操作パネル２２の右側には、「メニュー」，「ゼロ」，「加算」，「ページ」，「機能」，「手動」，「空送り」，「小計」を示す各種入力ボタンが縦一列に配列している。
【００３２】
対面販売においては、図６に示すプログラム・モジュール５０のうち、商品情報処理手段５１がＣＰＵ４０によって実行させられる。商品情報処理手段５１は、ＳＲＡＭ５７に格納されたデータベース５８や、第１メモリカード４８に格納されたデータベース５４を参照しつつ処理を実行する。
【００３３】
対面販売時では、売り手であるユーザーは、対面する顧客によって選択された購入商品を計量部１０の上面に載置し、「精肉」，「鮮魚」，「惣菜」を示すプリセットキーの何れかを指などで触れることで、商品群を選択する。次に、商品情報処理手段５１は、第１メモリカード４８のデータベース５４から、選択された商品群に属する画像データ（商品リスト）を読み込み、図７に示す所定のフォーマットで各画像データをプリセットキー２６Ａ〜２６Ｆにそれぞれ表示させることで、ユーザーに商品選択を促す。次に、ユーザーは、プリセットキー２６Ａ〜２６Ｆの何れかに指などで触れることで、購入商品に相当する商品画像を選択する。その後、計量部１０は、ＣＰＵ４０の指示に従って購入商品の重量を計測し、その計測結果を、ＣＰＵ４０により実行されている商品情報処理手段５１に通知する。商品情報処理手段５１は、ＳＲＡＭ５７のデータベース５８に登録されている当該購入商品の単価に基づいて、その重量に相当する商品価格を算出する。次いで、購入商品の重量、単価および商品価格が、それぞれ、操作パネル２２中の「重さ」、「単価100ｇにつき」および「値段」の表示ボックスに表示される。
【００３４】
そして、ユーザーである売り手は、その商品価格の代金を顧客から受け取る。このとき、ユーザーは、必要に応じて、キー入力部２１の「印字」キーを押すことで当該購入商品の商品情報（購入日時、商品名、単価、重量、商品価格、担当者名など）を、ラベル発行部３０にレシートやラベルに印字させて顧客に渡すことができる。
【００３５】
一方、バルク販売においては、顧客であるユーザー自らが、購入商品を計量部１０の上面に載置し、操作パネル２２に表示されるプリセットキー（図示せず）を指などで触れて選択する。その後は、商品情報表示装置１において、購入商品の重量を計量し、その重量に応じた商品価格を算出する処理が行われ、当該購入商品の商品情報が商品ラベルに印字されて、ラベル発行口３１から出力される。そして、ユーザーは、ラベル台紙から、商品情報が印字された商品ラベルを剥ぎ取って精算に使用することができる。
【００３６】
画像データの登録処理．
次に、画像データの登録処理の手順を、図８〜図１３を参照しつつ以下に説明する。図８は、画像データの登録処理の手順の一例を示すフローチャートを示している。また、図９〜図１３は、この登録処理の各段階における操作パネル２２の表示画面を示す図である。
【００３７】
この登録処理は、商品の外観を表す画像データを編集する画像データ編集処理と、編集後の画像データを商品情報と入力ボタンとに関連付けてデータベース（画像マスタ−）５４に登録するプリセット処理とに分かれている。図６に示すプログラム・モジュール５０に含まれる画像編集手段５２がＣＰＵ４０によって実行されることで、画像データ編集処理が実行され、プリセット手段５３がＣＰＵ４０によって実行されることでプリセット処理が実行される。
【００３８】
先ず、ステップＳ１では、売り手であるユーザーの外部操作によってＣＰＵ４０は初期プログラムを実行し、図９に示すように、操作パネル２２にメインメニュー画面を表示させる。このメインメニュー画面には、「通常」，「登録」，「設定」，「減算／加算」および「集計」をそれぞれ示す入力ボタン２３Ａ〜２３Ｆが表示されている。
【００３９】
次に、ユーザーは、「設定」ボタン２３Ｃを指などで触れて、図１０に示す選択メニュー画面を表示させる。この選択メニュー画面は、「イメージファイル編集」を示す入力ボタン２４Ａと、「プリセット」を示す入力ボタン２４Ｂとを表示する。ここで、ユーザーは、「イメージファイル編集」ボタン２４Ａと、「プリセット」ボタン２４Ｂとの何れか一方を選択できる（ステップＳ２）。
【００４０】
ユーザーが「イメージファイル編集」ボタン２４Ａを選択した場合（ｘ＝１）、ＣＰＵ４０において画像編集手段５２（図６）が呼び出され、ステップＳ１０〜Ｓ１５の処理を実行する。ステップＳ１０では、図１１に示すようにイメージファイル選択画面が表示される。図１１中、「イメージソース」の項目下の「ＣＦ」，「本体」，「ＮＷ」を示す入力ボタン６１〜６３は、取り込むべき画像データの格納場所に接続するための入力ボタンである。「本体」ボタン６２を選択すれば、第１カード・インターフェース４４に装着される第１メモリカード４８に接続でき、「ＣＦ」ボタン６１を選択すれば、第２カード・インターフェース４５に装着される第２メモリカード４９に接続でき、「ＮＷ」ボタン６３を選択すれば、ネットワーク・インターフェース４６を介して外部のネットワークに接続できる。
【００４１】
次にステップＳ１１では、「本体」ボタン６１，「ＣＦ」ボタン６２および「ＮＷ」ボタン６３の何れかを選択して画像データを取得する。「ＣＦ」ボタン６１を選択した場合は、第２メモリカード４９に格納されている画像データが読み込まれ画像サイズを縮小または拡大されて、一覧表示領域６０に一覧（サムネイル形式）で表示される。図１１に示した例では、「SW139.BMP」，「SW142.BMP」，「SW145.BMP」，「SW147.BMP」，「SW150.BMP」，…のサムネイル画像が一覧表示されている。一覧表示領域６０に全てのサムネイル画像を表示しきれない場合は、入力ボタン６４Ｕ，６４Ｄを押して縦方向上方またはその下方に表示データを移動させる（スクロールさせる）ことで、表示しきれないサムネイル画像を出現させることができる。なお、「戻る」ボタン６７を選択すれば、図１０に示す選択メニュー画面に戻ることが可能である。
【００４２】
このように、携帯型の第２メモリカード４９を介して画像データを読み込むことで、デジタル・カメラで撮像した画像データや、ＰＣ（パーソナル・コンピュータ）から書き出した画像データを簡便に取り込むことができる。
【００４３】
次のステップＳ１２では、操作パネル２２の表示画面を指などで触れて何れかのサムネイル画像を選択する。図１１に示した例では、一覧表示領域６０の右上隅の「SW147.BMP」が選択されており、このサムネイル画像の周縁部には、選択されたことを示す枠６６が表示されている。
【００４４】
以上の例では、「ＣＦ」ボタン６１を押して第２メモリカード４９を選択したが、この代わりに「本体」ボタン６２を押して第１メモリカード４８を選択してもよいし、「ＮＷ」ボタン６３を押してネットワーク上の情報配信先（サーバ）を選択してもよい。後述するように第１メモリカード４８は、登録済みの画像データを格納する記憶媒体であるため、「本体」ボタン６２を選択する場合は、一度登録された画像データを編集する場合に該当する。
【００４５】
また、「ＮＷ」ボタン６３を選択した場合は、インターネット・プロトコルに対応したアプリケーション・プログラムが起動する。ユーザーは、このアプリケーション・プログラムを操作して、ＵＲＬ（Uniform Resource Locator）を指定してネットワーク上のＨＴＴＰサーバにアクセスしたり、ネットワーク・アドレスを指定してＦＴＰサーバにアクセスしたりすることで、画像データを取得できる。これにより、画像データの所在の選択肢が広がり、ユーザーは所望の画像データを簡便に取り込むことが可能になる。
【００４６】
次のステップＳ１３では、図１１に示す「実行」ボタン６５を押すことで、図１２に示すイメージデータ編集画面の呼び出しを行う。この画面では、ステップＳ１２で選択した「SW147.BMP」の画像データが、表示枠７０の中に表示される。移動ボタン７７Ｕ，７７Ｄ，７７Ｒおよび７７Ｌを指などで触れることで、それぞれ、上方、下方、右方および左方へ画像データの表示領域を小刻みに移動させることが可能である。
【００４７】
次に、表示枠７０の中に表示された画像データに対して画像データ編集処理（ステップＳ１４）が実行される。表示枠７０の中には、商品販売時に操作パネル２２に表示される入力ボタンの画像サイズ（解像度）に対応する切り抜き枠７０ａが表示されている。入力ボタンの画像サイズとしては複数種類のものが用意されており、画面左下の「形状」ボタン８２を操作することで、「大」（最大サイズ），「中」（中間サイズ），「小」（最小サイズ）の３種類の画像サイズの何れかを適宜選択できる。図示した例では、最大サイズに対応した切り抜き枠７０ａが選択されている。また、前記移動ボタン７７Ｕ，７７Ｄ，７７Ｒおよび７７Ｌの操作で画像データを移動させることにより、この切り抜き枠７０ａの中に所望の画像領域を配置させることが可能である。
【００４８】
また、「倍率」ボタン７３を操作することで、表示枠７０における表示画像の倍率を指定することができる。この「倍率」ボタン７３を操作することで、その倍率を数値で指定できる。図１２の例では、倍率として「２００」（＝２倍）が指定されている。
【００４９】
また、「明るさ」ボタン７４や「コントラスト」ボタン７６を選択することで、表示枠７０における表示画像の色調を調整することができる。「明るさ」ボタン７４を選択した場合は、数値指定により、表示画像全体の明度を調整でき、「コントラスト」ボタン７６を選択した場合は、数値指定により、表示画像全体のコントラストを調整できる。図１２の例では、明度の数値として「５０」、コントラストの数値として「５０」がそれぞれ指定されている。
【００５０】
このように表示画像の色調やその倍率を指定する数値を入力した後は、「再描画」ボタン７８を押すことで、その倍率で表示画像の解像度が変換され且つ色調が変換された画像データが、表示枠７０の中に描画される。これにより、ユーザーが望む画質と画像サイズを持つ画像データを簡便に得ることが可能となる。
【００５１】
次に、「保存」ボタン８１を選択することで、切り抜き枠７０ａの中の一部領域の画像データが、上記入力ボタンの解像度に適合するようにして切り抜かれ、第１メモリカード４８に保存される（ステップＳ１５）。ここで、画像データのファイル名を適宜指定して保存することも可能である。また、本実施形態では、切り抜いた画像データの保存場所は第１メモリカード４８であるが、第２メモリカード４９やＳＲＡＭ５７でもよい。
【００５２】
また、切り取り枠７０ａの中の画像データを保存する前に、ユーザーは、「確認」ボタン８０を押してその編集結果を視認（プレビュー）することが可能である。すなわち、ユーザーは、図１２に示す画面状態で「確認」ボタン８０を押すと、図１３に示すように、切り抜いた画像データを実際の解像度で表示する確認ウインドウ８４が出現する。これにより、ユーザーは、編集後の画像データを保存する前にその編集結果を確認できることから、所望の画像データを迅速に効率良く得ることができる。なお、操作パネル２２の中の何れかの入力ボタンを押すと、図１２に示す画面に戻ることができる。
【００５３】
また、イメージデータ編集画面中の「消去」ボタン７１を押すと、編集中の画像データが表示枠７０の中から消去される。また、「ラベルＮｏ．」ボタン７５は、表示画像にイメージ番号を付すための入力ボタンであり、「選択」ボタン７９は、図１１に示したイメージファイル選択画面に戻るためのボタンである。
【００５４】
次に、編集後の画像データを入力ボタンに割り当てる（プリセットする）処理を以下に説明する。ユーザーは、図１２に示す画面において、「メニュー」ボタン７２を押して図１０に示した選択メニュー画面に戻る（ステップＳ２）。次いで、「プリセット」ボタン２４Ｂを選択することで（ｘ＝２）、ＣＰＵ４０においてプリセット手段５３（図６）が呼び出され、ステップＳ２０以後の処理を実行する。ステップＳ２０では、図１４に示すようなプリセット画面が呼び出され、表示される。同図中のレイアウト作成領域９０が、商品販売時の操作パネル２２の表示画面を作成する領域となる。
【００５５】
次に、ユーザーは、「プリセット」ボタン１００，「着色」ボタン１０１，「ページ編集」ボタン１０３および「レイアウト」ボタン１０２の中から、「レイアウト」ボタン１０２を押して選択する。この状態で所定のレイアウト作成処理（ステップＳ２１）を行うことで、レイアウト作成領域９０に、図１４に示すように、何れの登録情報にも関連付けられていない入力ボタンを示す空白の領域８９，８９，…（以下、キー領域と呼ぶ。）を形成することができる。各キー領域８９のサイズは、「大」（最大サイズ），「中」（中間サイズ）および「小」（最小サイズ）の中から適宜選択することが可能である。
【００５６】
次に、ユーザーは、「プリセット」ボタン１００を押して選択した状態で、空白のキー領域８９，８９，…に登録情報や画像データを割り当てるプリセット処理（ステップＳ２２，Ｓ２３）を行う。
【００５７】
ステップＳ２２では、以下に説明する登録情報の割り当て処理が実行される。先ず、「プリセット」ボタン１００が選択されると、「キー種類」のボックス１１０に、「担当者名」，「商品」，「風袋」，「イメージ」，「フォーマット」および「合計」などの約３０種類程度の設定項目の何れかが表示される。ここで、入力ボタン９６Ｕ，９６Ｄに触れることで、各設定項目を順番にボックス１１０内に表示させことができる。入力ボタン９６Ｕ，９６Ｄを操作して設定項目を定めた後は、「登録」ボタン１１２を押して選択する。これにより、当該設定項目に属する登録番号「１」，「２」，…がボックス１１０内に出現する。入力ボタン９６Ｕ，９６Ｄを操作することで、これら登録番号「１」，「２」，…を順番に表示させて選択することが可能である。設定項目とこの設定項目に属する登録番号を定めた後は、当該設定項目と登録番号とを割り当てるべき何れかのキー領域８９に触れてこれを選択する。この結果、当該設定項目および登録番号とキー領域８９との間の対応関係がデータベース５８（図６）に登録される。
【００５８】
ＳＲＡＭ５７に格納されるデータベース５８では、登録番号と登録名とが予め対応付けられている。例えば、データベース５８の中の担当者マスタでは、担当者番号と担当者名（登録名）とが対応付けられる。具体的には、担当者番号１が「佐藤」、担当者番号２が「田中」、担当者番号３が「鈴木」、担当者番号４が「吉岡」、…といった具合に、担当者番号と担当者名とが対応付けられている。他の設定項目についても同様である。例えば、データベース５８の中の商品マスタでは、「商品」の設定項目について、商品番号１が「人参」、商品番号２が「トマト」、商品番号３が「アスパラガス」、商品番号４が「キャベツ」、商品番号５が「松坂牛」、商品番号６が「神戸牛」、商品番号７が「輸入牛」、…といった具合に、商品番号と商品名（登録名）とが対応付けられている。
【００５９】
ステップＳ２２において、キー領域８９を商品選択用の入力ボタンに割り当てる場合、設定項目として「商品」が選択される。この「商品」の商品番号（登録番号）を選択した後、何れかのキー領域８９に触れることで、このキー領域８９に商品の登録情報が割り当てられる。
【００６０】
次のステップＳ２３では、画像データの割り当て処理が実行される。具体的には、「プリセット」ボタン１００を押した後、入力ボタン９６Ｕ，９６Ｄを操作して、「キー種類」のボックス１１０に「イメージ」を表示させる。続けて「登録」ボタン１１２を押した後に、画像データが割り当てられる何れかのキー領域８９を触れて選択する。すると、上記ステップＳ１５で保存した編集後の画像データのサムネイル画像が一覧表示されるので、ユーザーは、当該キー領域８９に割り当てるべきサムネイル画像を選択する。その結果、当該キー領域８９に選択した画像データが貼り付けられ表示される。
【００６１】
以上のステップＳ２２，Ｓ２３の処理を通じて、レイアウト作成領域９０のキー領域８９，８９，…に、登録情報と画像データとを割り当てた（プリセットした）例を、図１５に示す。レイアウト作成領域９０において、商品群を選択するプリセットキーとして「精肉」、「鮮魚」および「惣菜」を示すキー領域８９，８９，８９が設定され、担当者を指定するプリセットキーとして「鈴木」、「佐藤」および「田中」のキー領域８９，８９，８９が設定され、その他のキー領域８９，…には、それぞれ、商品選択用の画像データが割り当てられている。
【００６２】
キー領域８９の登録番号を確認したい場合は、「確認」ボタン１１１を押した後、入力ボタン９６Ｕ，９６Ｄを操作して「キー種類」のボックス１１０に「商品」や「イメージ」などの設定項目を表示させて選択する。その後、登録番号を確認したいキー領域８９を押すことで、ボックス１１１内に商品番号やイメージ番号などを表示させることができる。
【００６３】
なお、図１４と図１５において、符号９１は、レイアウト作成領域９０のページ番号、９２は、キー領域８９の表示色を数値で指定する入力ボックス、９３は、キー領域８９の文字色を数値で指定する入力ボックス、９４は、キー入力部２１でキー入力された文字や数字などを表示する表示ボックス、をそれぞれ表している。また、「メニュー」ボタン９５を押すことで、図９に示したメインメニュー画面に戻ることができる。
【００６４】
図１６は、図１５に示すレイアウト作成領域９０を用いた対面販売用の操作パネル２２を示す図である。入力領域１２０の中に、図１５に示すレイアウト作成領域９０で設定したプリセットキーが表示されている。
【００６５】
また、画像データが設定されたキー領域８９に、文字や数字などを挿入することも可能である。具体的には、プリセット画面（図１５）において、「編集」ボタン１１３を押した後に、文字や数字などの符号列を挿入すべきキー領域８９を選択する。すると、操作パネル２２に入力ウインドウ（図示せず）が出現するので、ユーザーはこの入力ウインドウを入力操作することで、数字、ローマ字、仮名、漢字などからなる任意サイズの符号列を入力できる。この結果、図１７に例示するように、キー領域８９の中に「富山産野菜セット（特売品）」などの文字列を、画像データに重ね合わせて同時に表示（スーパーインポーズ表示）させることができる。これにより、販売状況に合わせてプリセットキーの表現を柔軟に変更することが可能になる。また、既に画像データが設定されたキー領域８９に、更に別の画像データを設定した場合は、２種類以上の画像データを互いに重ね合わせて同時に表示（スーパーインポーズ表示）させることが可能である。
【００６６】
以上の実施形態では、キー領域８９に割り当てる画像データは静止画像であったが、この代わりにアニメーション画像を割り当ててもよい。
【００６７】
このように、本実施形態に係る商品情報表示装置１によれば、ユーザーは、商品情報表示装置１を直接操作することで、第１メモリカード４８、第２メモリカード４９またはネットワークから画像データを取り込んで登録することができるだけでなく、取り込んだ画像データを編集した後に、操作パネル２２に表示するプリセットキーに割り当ててデータベース５４に登録することができる。このため、ユーザーは、プリセットキーに割り当てる画像データを顧客層や販売状況に合わせて迅速且つ柔軟に編集し、操作パネル２２での表示画像として利用に供することが可能となる。
【００６８】
なお、以上に説明した商品情報表示装置１は、プリンタ付秤や計量装置や包装装置などの商品情報を表示するものに適用することが可能である。
【００６９】
【発明の効果】
以上の如く、本発明の請求項１に係る商品情報表示装置によれば、ユーザーは、この商品情報表示装置を直接操作することによって、画像データを編集し、編集した画像データを商品情報に関連付けてデータベースに登録し、表示部での表示画像として利用可能とすることができる。よって、売り手であるユーザーは、顧客層や販売状況などに合わせて画像データを迅速且つ柔軟に編集して利用に供することが可能となる。
【００７０】
請求項２によれば、ユーザーは、表示部の表示画面に触れるだけで入力操作できるため、画像データを簡便且つ迅速に編集することができる。
【００７１】
請求項３によれば、ユーザーは、この商品情報表示装置を直接操作して、入力ボタンの画像サイズに合わせて画像データの解像度を容易に変更できる。よって、画像データを簡便且つ迅速に編集して登録することが可能である。
【００７２】
請求項４によれば、ユーザーは、この商品情報表示装置を直接操作して、入力ボタンの解像度に適合するように画像データの一部領域を容易に切り抜くことができる。よって、画像データを簡便且つ迅速に編集して登録することが可能である。
【００７３】
請求項５によれば、ユーザーは、編集後の画像データをデータベースに登録する前にその編集結果を確認することができることから、所望の編集結果を効率良く迅速に得ることが可能となる。
【００７４】
請求項６によれば、メモリカードなどの携帯型記憶装置を用いるため、データベースに登録する画像データの取り込みや持ち運びが非常に簡便に可能となる。このため、画像データの更新などを迅速且つ簡便に行うことができる。
【００７５】
そして、請求項７によれば、表示部に商品画像を所定のフォーマットで表示させることで、顧客または売り手であるユーザーに商品選択を促すことと、選択された商品の重量を計測しその価格を自動的に算出することが可能となる。
【図面の簡単な説明】
【図１】本発明の実施形態に係る商品情報表示装置の外観を示す斜視図である。
【図２】本実施形態に係る商品情報表示装置の正面図である。
【図３】本実施形態に係る商品情報表示装置の上方から見たときの平面図である。
【図４】本実施形態に係る商品情報表示装置の左側面図である。
【図５】本実施形態に係る商品情報表示装置の概略構成を示すブロック図である。
【図６】商品情報表示装置で実行されるプログラム・モジュールと第１メモリカードの格納内容とを示す模式図である。
【図７】対面販売時における操作パネルの表示画面の一例を示す図である。
【図８】画像データの登録処理の手順の一例を示すフローチャートである。
【図９】商品情報表示装置の操作パネルに表示されるメインメニュー画面を示す図である。
【図１０】商品情報表示装置の操作パネルに表示される選択メニュー画面を示す図である。
【図１１】画像データ編集処理における表示画面の一例を示す図である。
【図１２】画像データ編集処理における表示画面の一例を示す図である。
【図１３】画像データ編集処理における表示画面の一例を示す図である。
【図１４】プリセット処理における表示画面の一例を示す図である。
【図１５】プリセット処理における表示画面の一例を示す図である。
【図１６】対面販売時における操作パネルの表示画面の一例を示す図である。
【図１７】文字列を挿入されたキー領域の一例を示す図である。
【符号の説明】
１  商品情報表示装置
１０  計量部
２０  表示部
２１  キー入力部
２２  操作パネル
２５  保護カバー
３０  ラベル発行部
４０  ＣＰＵ
４１  ＲＯＭ
４２  ＲＡＭ
４３  タイマ
４４，４５  カード・インターフェース
４６  ネットワーク・インターフェース
４７  内部配線
４８，４９  メモリカード
【図１】
2004163994.tif 000003
【図２】
2004163994.tif 000004
【図３】
2004163994.tif 000005
【図４】
2004163994.tif 000006
【図５】
2004163994.tif 000007
【図６】
2004163994.tif 000008
【図７】
2004163994.tif 000009
【図８】
2004163994.tif 000010
【図９】
2004163994.tif 000011
【図１０】
2004163994.tif 000012
【図１１】
2004163994.tif 000013
【図１２】
2004163994.tif 000014
【図１３】
2004163994.tif 000015
【図１４】
2004163994.tif 000016
【図１５】
2004163994.tif 000017
【図１６】
2004163994.tif 000018
【図１７】
2004163994.tif 000019